(57)【要約】【課題】簡単に顔画像を登録することができ、確実に携帯端末の不正使用を防止することができる認証システム及び認証方法並びに制御プログラムの提供。【解決手段】携帯端末２０のデジタルカメラ部とＲＦＩＤ部とを利用し、デジタルカメラ部で撮影した所有者の顔の画像データをＲＦＩＤ部のＩＣチップや記憶部に登録し、この画像データをＲＦＩＤリーダ３０を介してレジスタ４０に送信して表示部４４に顔画像を表示し、又は、携帯端末２０の表示部に顔画像を表示し、店員に携帯端末２０の使用が正当であるか、すなわち携帯端末２０の使用者と所有者とが一致するかを判定させる。上記構成では、画像データの登録や顔画像の表示を行う手段をハードウェア又はソフトウェアとして追加するだけであり、又、顔画像を表示可能な表示部を備えていないレジスタも利用可能となり、汎用性の高い認証システム１０を提供できる。【選択図】図１
2008108090.tif 000002
【特許請求の範囲】
【請求項１】
アンテナ及びＩＣチップを備え、電磁誘導又は電磁結合を利用してデータ交信を行うＲＦＩＤ部を少なくとも備える携帯端末と、店舗に設置され、電子決済を実行する決済端末と、前記決済端末に接続されるＲＦＩＤリーダと、を少なくとも備える認証システムであって、
前記携帯端末は、
前記携帯端末の所有者の顔の画像データを、前記ＲＦＩＤ部の前記ＩＣチップ又は前記ＲＦＩＤ部が参照可能な前記携帯端末の記憶部に登録する画像データ登録手段を少なくとも備え、
前記決済端末は、
前記ＲＦＩＤリーダを介して前記携帯端末から取得した前記画像データに基づく顔画像を表示部に表示させる制御部を少なくとも備えることを特徴とする認証システム。
【請求項２】
アンテナ及びＩＣチップを備え、電磁誘導又は電磁結合を利用してデータ交信を行うＲＦＩＤ部を少なくとも備える携帯端末と、店舗に設置され、電子決済を実行する決済端末と、前記決済端末に接続されるＲＦＩＤリーダと、を少なくとも備える認証システムであって、
前記携帯端末は、
前記携帯端末の所有者の顔の画像データを、前記ＲＦＩＤ部の前記ＩＣチップ又は前記ＲＦＩＤ部が参照可能な前記携帯端末の記憶部に登録する画像データ登録手段と、
前記ＲＦＩＤ部を用いた電子決済の際に、前記画像データに基づく顔画像を前記携帯端末の表示部に表示させる顔画像表示制御手段と、を少なくとも備えることを特徴とする認証システム。
【請求項３】
前記画像データ登録手段は、前記画像データを予め定められた形式、サイズ又は色の画像データに変換する機能を備えることを特徴とする請求項１又は２に記載の認証システム。
【請求項４】
前記携帯端末にデジタルカメラ部を備え、前記画像データは前記デジタルカメラ部によって取得されることを特徴とする請求項１乃至３のいずれか一に記載の認証システム。
【請求項５】
アンテナ及びＩＣチップを備え、電磁誘導又は電磁結合を利用してデータ交信を行うＲＦＩＤ部を少なくとも備える携帯端末と、店舗に設置され、電子決済を実行する決済端末と、前記決済端末に接続されるＲＦＩＤリーダと、を少なくとも備えるシステムにおける認証方法であって、
前記携帯端末の所有者の顔を撮影して画像データを取得する第１のステップと、
前記画像データを、前記ＲＦＩＤ部の前記ＩＣチップ又は前記ＲＦＩＤ部が参照可能な前記携帯端末の記憶部に登録する第２のステップと、
前記携帯端末の前記ＲＦＩＤ部を用いた電子決済の際に、前記携帯端末に登録した前記画像データを、前記ＲＦＩＤリーダを介して前記決済端末に送信する第３のステップと、
前記決済端末の表示部に、前記画像データに基づく顔画像を表示する第４のステップと、
前記店舗の店員が、前記決済端末の前記表示部に表示された顔画像と、前記携帯端末の利用者の顔とを比較して、前記携帯端末の利用が正当であるかを判定する第５のステップと、少なくとも有することを特徴とする認証方法。
【請求項６】
アンテナ及びＩＣチップを備え、電磁誘導又は電磁結合を利用してデータ交信を行うＲＦＩＤ部を少なくとも備える携帯端末と、店舗に設置され、電子決済を実行する決済端末と、前記決済端末に接続されるＲＦＩＤリーダと、を少なくとも備えるシステムにおける認証方法であって、
前記携帯端末の所有者の顔を撮影して画像データを取得する第１のステップと、
前記画像データを、前記ＲＦＩＤ部の前記ＩＣチップ又は前記ＲＦＩＤ部が参照可能な前記携帯端末の記憶部に登録する第２のステップと、
前記携帯端末の前記ＲＦＩＤ部を用いた電子決済の際に、前記携帯端末の表示部に、前記画像データに基づく顔画像を表示する第３のステップと、
前記店舗の店員が、前記携帯端末の表示部に表示された顔画像と、前記携帯端末の利用者の顔とを比較して、前記携帯端末の利用が正当であるかを判定する第４のステップと、少なくとも有することを特徴とする認証方法。
【請求項７】
前記第２のステップでは、前記画像データを予め定められた形式、サイズ又は色の画像データに変換することを特徴とする請求項５又は６に記載の認証方法。
【請求項８】
前記携帯端末にデジタルカメラ部を備え、前記第１のステップでは、前記デジタルカメラ部を用いて前記画像データを取得することを特徴とする請求項５乃至７のいずれか一に記載の認証方法。
【請求項９】
アンテナ及びＩＣチップを備え、電磁誘導又は電磁結合を利用してデータ交信を行うＲＦＩＤ部を少なくとも備える携帯端末で動作する制御プログラムであって、
コンピュータを、
前記携帯端末の所有者の顔の画像データを前記ＲＦＩＤ部の前記ＩＣチップ又は前記ＲＦＩＤ部が参照可能な前記携帯端末の記憶部に登録する画像データ登録手段、として機能させることを特徴とする制御プログラム。
【請求項１０】
前記画像データ登録手段は、前記画像データを予め定められた形式、サイズ又は色の画像データに変換する機能を備えることを特徴とする請求項９記載の制御プログラム。
【請求項１１】
前記携帯端末にデジタルカメラ部を備え、前記画像データ登録手段では、前記デジタルカメラ部で取得された前記画像データを登録することを特徴とする請求項９又は１０に記載の制御プログラム。
【請求項１２】
アンテナ及びＩＣチップを備え、電磁誘導又は電磁結合を利用してデータ交信を行うＲＦＩＤ部を少なくとも備える携帯端末で動作する制御プログラムであって、
コンピュータを、
前記ＲＦＩＤ部を用いた電子決済の際に、前記ＲＦＩＤ部の前記ＩＣチップ又は前記ＲＦＩＤ部が参照可能な前記携帯端末の記憶部に予め記憶された画像データに基づく顔画像を表示部に表示させる顔画像表示制御手段、として機能させることを特徴とする制御プログラム。
【発明の詳細な説明】
【技術分野】
【０００１】
本発明は、認証システム及び認証方法並びに制御プログラムに関し、特に、ＲＦＩＤ（Radio Frequency Identification）機能を備えた携帯端末を用いて電子決済を行う認証システム及び該システムにおける認証方法並びに該携帯端末で機能する制御プログラムに関する。
【背景技術】
【０００２】
近年、商品やサービスの購入などの取引にクレジットカードやキャッシュカードなどが広く用いられている。これらのカードは、磁気ストライプに情報を記憶する磁気カードと、ＩＣチップに情報を記憶するＩＣカードとに大別され、また、ＩＣカードは、電気接点で外部のリーダに接続してデータ交信を行う接触型と、アンテナを用いて電磁誘導又は電磁結合を利用してデータ交信を行う非接触型とに分類される。
【０００３】
上記キャッシュカードやクレジットカード（以下、単にカードと呼ぶ。）を使用した取引では、通常、本人確認はサインのみであり、少額な取引ではサインが不要な場合も多いため、カードが盗まれた場合に不正にカードが使用され、カードの所有者に多大な損害を与えてしまう可能性がある。
【０００４】
このようなカードの不正使用を防止する方法として、カードの表面にカード所有者の顔画像を印刷する方法があるが、カードに自身の顔画像が印刷されることに抵抗を感じるユーザも多い。そこで、カードにカード所有者の顔画像を印刷するのではなく、カードの記憶部（磁気カードの場合は磁気ストライプ、ＩＣカードの場合はＩＣチップ）に顔の画像データを記憶する方法が提案されている。
【０００５】
例えば、下記特許文献１には、正当なカード所有者の写真像を表すディジタルデータが記録されたクレジットカードと、カード使用者の正真性を確認するための第１の確認手段であって、ディジタルデータに呼応した正当な所有者の写真像を売り場の照合者に表示するための手段を含む第１の認証手段と、クレジットカードの正真性を確認するための第２の確認手段であって、売り場でディジタルデータの一部を符号化することによって生成されたプレ承認コードと、遠隔のカード管理会社で生成されたそのカードのプレ承認とを比較するための手段を含む第２の認証手段と、を有するクレジットカード照合システムが開示されている。
【０００６】
【特許文献１】特開平７−１１７３８３号公報
【発明の開示】
【発明が解決しようとする課題】
【０００７】
このようにクレジットカードにカード所有者の顔の画像データを記憶することにより、カードの使用が正当であるか（すなわち、カード使用者がカード所有者と一致するか）を判定することができるが、カードに画像データを登録する操作はクレジットカード会社などのカード管理業者が行うため、カード管理業者の作業が必要になり、また、システム利用者自身が、カード管理業者が規定した形式や色、サイズの画像データを作成し、作成した画像データをカード管理業者に提供しなければならないため、システム利用者側の作業も必要になり、簡単に顔画像を登録することができないという問題があった。
【０００８】
また、顔画像は年齢と共に変化し、また、髪型や眼鏡の有無などによって印象が大きく変化するため、常に最新の顔の画像データを登録することが好ましいが、登録操作はカード管理業者が行うために簡単に画像データを更新することができず、その結果、顔画像を用いた判定の精度が低下し、確実に不正使用を防止することができないという問題もあった。
【０００９】
また、カードに記憶された画像データに基づく顔画像を売り場に設置された端末（レジスタ）に表示させるためには、レジスタにある程度の大きさの画面が必要であるが、従来のレジスタは画像情報を表示することを前提にしていないために画面が小さい場合が多く、カードに画像データを記憶したとしても、従来のレジスタでは顔画像を利用した認証を実施することができず、確実に不正使用を防止することができないという問題もあった。
【００１０】
本発明は上記問題点に鑑みてなされたものであり、その第１の目的は、ＲＦＩＤ機能を備えた携帯端末を用いて電子決済を行うシステムにおいて、簡単に顔画像を登録することができる認証システム及び認証方法並びに制御プログラムを提供することにある。
【００１１】
また、本発明の第２の目的は、確実に携帯端末の不正使用を防止することができる認証システム及び認証方法並びに制御プログラムを提供することにある。
【課題を解決するための手段】
【００１２】
上記目的を達成するため、本発明は、アンテナ及びＩＣチップを備え、電磁誘導又は電磁結合を利用してデータ交信を行うＲＦＩＤ部を少なくとも備える携帯端末と、店舗に設置され、電子決済を実行する決済端末と、前記決済端末に接続されるＲＦＩＤリーダと、を少なくとも備える認証システムであって、前記携帯端末は、前記携帯端末の所有者の顔の画像データを、前記ＲＦＩＤ部の前記ＩＣチップ又は前記ＲＦＩＤ部が参照可能な前記携帯端末の記憶部に登録する画像データ登録手段を少なくとも備え、前記決済端末は、前記ＲＦＩＤリーダを介して前記携帯端末から取得した前記画像データに基づく顔画像を表示部に表示させる制御部を少なくとも備えるものである。
【００１３】
また、本発明は、アンテナ及びＩＣチップを備え、電磁誘導又は電磁結合を利用してデータ交信を行うＲＦＩＤ部を少なくとも備える携帯端末と、店舗に設置され、電子決済を実行する決済端末と、前記決済端末に接続されるＲＦＩＤリーダと、を少なくとも備える認証システムであって、前記携帯端末は、前記携帯端末の所有者の顔の画像データを、前記ＲＦＩＤ部の前記ＩＣチップ又は前記ＲＦＩＤ部が参照可能な前記携帯端末の記憶部に登録する画像データ登録手段と、前記ＲＦＩＤ部を用いた電子決済の際に、前記画像データに基づく顔画像を前記携帯端末の表示部に表示させる顔画像表示制御手段と、を少なくとも備えるものである。
【００１４】
本発明においては、前記画像データ登録手段は、前記画像データを予め定められた形式、サイズ又は色の画像データに変換する機能を備える構成とすることができる。
【００１５】
また、本発明においては、前記携帯端末にデジタルカメラ部を備え、前記画像データは前記デジタルカメラ部によって取得される構成とすることもできる。
【００１６】
また、本発明は、アンテナ及びＩＣチップを備え、電磁誘導又は電磁結合を利用してデータ交信を行うＲＦＩＤ部を少なくとも備える携帯端末と、店舗に設置され、電子決済を実行する決済端末と、前記決済端末に接続されるＲＦＩＤリーダと、を少なくとも備えるシステムにおける認証方法であって、前記携帯端末の所有者の顔を撮影して画像データを取得する第１のステップと、前記画像データを、前記ＲＦＩＤ部の前記ＩＣチップ又は前記ＲＦＩＤ部が参照可能な前記携帯端末の記憶部に登録する第２のステップと、前記携帯端末の前記ＲＦＩＤ部を用いた電子決済の際に、前記携帯端末に登録した前記画像データを、前記ＲＦＩＤリーダを介して前記決済端末に送信する第３のステップと、前記決済端末の表示部に、前記画像データに基づく顔画像を表示する第４のステップと、前記店舗の店員が、前記決済端末の前記表示部に表示された顔画像と、前記携帯端末の利用者の顔とを比較して、前記携帯端末の利用が正当であるかを判定する第５のステップと、少なくとも有するものである。
【００１７】
また、本発明は、アンテナ及びＩＣチップを備え、電磁誘導又は電磁結合を利用してデータ交信を行うＲＦＩＤ部を少なくとも備える携帯端末と、店舗に設置され、電子決済を実行する決済端末と、前記決済端末に接続されるＲＦＩＤリーダと、を少なくとも備えるシステムにおける認証方法であって、前記携帯端末の所有者の顔を撮影して画像データを取得する第１のステップと、前記画像データを、前記ＲＦＩＤ部の前記ＩＣチップ又は前記ＲＦＩＤ部が参照可能な前記携帯端末の記憶部に登録する第２のステップと、前記携帯端末の前記ＲＦＩＤ部を用いた電子決済の際に、前記携帯端末の表示部に、前記画像データに基づく顔画像を表示する第３のステップと、前記店舗の店員が、前記携帯端末の表示部に表示された顔画像と、前記携帯端末の利用者の顔とを比較して、前記携帯端末の利用が正当であるかを判定する第４のステップと、少なくとも有するものである。
【００１８】
本発明においては、前記第２のステップでは、前記画像データを予め定められた形式、サイズ又は色の画像データに変換する構成とすることができる。
【００１９】
また、本発明においては、前記携帯端末にデジタルカメラ部を備え、前記第１のステップでは、前記デジタルカメラ部を用いて前記画像データを取得する構成とすることもできる。
【００２０】
また、本発明は、アンテナ及びＩＣチップを備え、電磁誘導又は電磁結合を利用してデータ交信を行うＲＦＩＤ部を少なくとも備える携帯端末で動作する制御プログラムであって、コンピュータを、前記携帯端末の所有者の顔の画像データを前記ＲＦＩＤ部の前記ＩＣチップ又は前記ＲＦＩＤ部が参照可能な前記携帯端末の記憶部に登録する画像データ登録手段、として機能させるものである。
【００２１】
また、本発明は、アンテナ及びＩＣチップを備え、電磁誘導又は電磁結合を利用してデータ交信を行うＲＦＩＤ部を少なくとも備える携帯端末で動作する制御プログラムであって、コンピュータを、前記ＲＦＩＤ部を用いた電子決済の際に、前記ＲＦＩＤ部の前記ＩＣチップ又は前記ＲＦＩＤ部が参照可能な前記携帯端末の記憶部に予め記憶された画像データに基づく顔画像を表示部に表示させる顔画像表示制御手段、として機能させるものである。
【００２２】
このように、本発明では、携帯端末のデジタルカメラ部で自身の顔を撮影すると、必要に応じて画像データに所定の処理を行った後、その画像データが携帯端末のＲＦＩＤ部や記憶部に自動的に登録されるため、簡単に顔画像を登録することができる。
【００２３】
また、電子決済の際に、携帯端末をＲＦＩＤリーダにかざすと、携帯端末のＲＦＩＤ部や記憶部に登録された画像データがＲＦＩＤリーダを介してレジスタに送信され、レジスタの表示部に該画像データに基づく顔画像が表示されるため、店員はレジスタの表示部に表示された顔画像と携帯端末の利用者の顔とを比較することによって、確実に携帯端末の不正使用を防止することができる。
【００２４】
また、顔画像が表示可能な表示部を備えていないレジスタを用いる場合には、電子決済を行う際に、携帯端末の表示部に、ＲＦＩＤ部や記憶部に登録された画像データに基づく顔画像が表示されるため、店員は携帯端末の表示部に表示された顔画像と携帯端末の利用者の顔とを比較することによって、確実に携帯端末の不正使用を防止することができる。
【発明の効果】
【００２５】
本発明の認証システム及び認証方法並びに制御プログラムによれば、下記記載の効果を奏する。
【００２６】
本発明の第１の効果は、簡単に顔画像を登録することができるということである。その理由は、携帯端末に設けられたデジタルカメラ部で自身の顔を撮影すると、画像データ登録手段は、画像データの形式や色、サイズを変更するなどの所定の処理を行った後、その画像データを携帯端末のＲＦＩＤ部や記憶部に登録する処理を行うため、認証システムの利用者自身が画像データに対して処理を行ったり、画像データを登録する必要がなく、また、カードを利用する場合のようにカード管理業者に画像データの登録を依頼するなどの煩雑な操作を行う必要がないからである。
【００２７】
また、本発明の第２の効果は、ＲＦＩＤ機能を備える携帯端末を用いて電子決済を行うシステムにおいて、確実に携帯端末の不正使用を防止することができるということである。その理由は、携帯端末をＲＦＩＤリーダにかざすと、携帯端末のＲＦＩＤ部や記憶部に登録された画像データがＲＦＩＤリーダを介してレジスタに送信され、レジスタの制御部は、表示部に該画像データに基づく顔画像を表示するため、店員はレジスタの表示部に表示された顔画像と携帯端末の利用者の顔とを比較することによって、携帯端末の所有者と利用者とが一致するか否かを判定することができるからである。また、顔画像が表示可能な表示部を備えていないレジスタを用いる場合には、電子決済を行う際に、顔画像表示制御手段は、携帯端末の表示部に、ＲＦＩＤ部や記憶部に登録された画像データに基づく顔画像を表示する制御を行うため、店員は携帯端末の表示部に表示された顔画像と携帯端末の利用者の顔とを比較することによって、携帯端末の所有者と利用者が一致するか否かを判定することができるからである。更に、本発明では、携帯端末の画像データ登録手段を用いて画像データを登録するため、髪型を変えたり、眼鏡を使用するなど、印象が変化した場合に簡単に画像データを登録し直すことができ、顔画像を用いた判定を高精度で行うことができるからである。
【００２８】
そして、デジタルカメラ機能とＲＦＩＤ機能とを備える通常の携帯端末に、上記画像データ登録手段や顔画像表示制御手段をハードウェア又はソフトウェアとして構成するだけでよく、また、顔画像が表示可能な表示部を備えていない通常のレジスタも利用することができるため、汎用性の高い認証システム及び認証方法を提供することができる。また、カードに顔画像が印刷される場合のように顔画像が他人に見られる心配が無いため、本発明の認証システム及び認証方法の利用促進を図ることができる。
【発明を実施するための最良の形態】
【００２９】
従来技術で示したように、商品やサービスの購入にクレジットカードやキャッシュカードなどを用いた電子決済が広く利用されており、カードの不正使用（なりすまし）を防止するために、カードに顔の画像データを記憶するなどによって本人確認を行うシステムも提案されている。
【００３０】
しかしながら、カードに画像データを登録するためにはカード管理業者及びシステム利用者双方の作業が必要であり、簡単に顔画像を登録することができないという問題があった。また、カードに記憶した画像データに基づく顔画像を店員が確認するためには、レジスタなどの店舗側の機器に顔画像を表示可能な画面を備えている必要があり、このような画面のない機器をシステムに適用することができず、携帯端末の不正使用を防止することができないという問題があった。
【００３１】
一方、近年の携帯電話機などの携帯端末にはデジタルカメラ機能が標準で設けられており、更に、ＲＦＩＤシステムを利用して電子決済を行う機能（以下、ＲＦＩＤ機能と呼ぶ。）も標準装備されつつある。
【００３２】
そこで、本発明では、携帯端末に設けられているデジタルカメラ機能とＲＦＩＤ機能とを利用して、デジタルカメラ機能を用いて撮影した所有者の顔の画像データをＲＦＩＤ機能のＩＣチップや携帯端末の記憶部に登録し、この画像データをレジスタに送信してレジスタの表示部に顔画像を表示したり、携帯端末の表示部に顔画像を表示して、店員に携帯端末の使用が正当であるか、すなわち、携帯端末の使用者と所有者とが一致するかを判定させるようにする。
【００３３】
これにより、簡単に顔画像を登録し、確実に携帯端末の不正使用を防止することができる。また、デジタルカメラ機能とＲＦＩＤ機能を備える携帯端末に対して、上記画像データの登録や顔画像の表示を行うハードウェアを追加、又は、ソフトウェアをインストールするだけであり、また、携帯端末の表示部に顔画像を表示して店員に見せることによっても本人認証を行うことができるため、顔画像を表示可能な表示部を備えていないレジスタも利用可能となり、汎用性の高い認証システムを提供することができる。
【実施例１】
【００３４】
上記した本発明の実施の形態についてさらに詳細に説明すべく、本発明の第１の実施例に係る認証システム及び認証方法並びに制御プログラムについて、図１乃至図６を参照して説明する。図１は、本実施例の認証システムの構成を模式的に示す図である。また、図２は、本実施例の携帯端末の構成を示すブロック図であり、図３は、本実施例のレジスタの構成を示すブロック図である。また、図４は、携帯端末に顔の画像データを登録する手順を示すフローチャート図であり、図５は、本実施例の携帯端末を用いて電子決済を行う手順を示すフローチャート図である。また、図６は、本実施例のレジスタの表示部に表示される画面構成例を示す図である。
【００３５】
図１に示すように、本実施例の認証システム１０は、電子決済を行うユーザが所有する携帯電話機などの携帯端末２０と、店舗に設置され、電子決済を実行する決済端末（以下、レジスタ４０とする。）と、レジスタ４０に接続され、携帯端末２０と交信するＲＦＩＤリーダ又はＲＦＩＤリーダ／ライタ（以下、ＲＦＩＤリーダ３０とする。）と、クレジット会社などに管理され、電子決済の際に携帯端末２０を認証するサーバ５０とを主な構成要素とし、レジスタ４０とサーバ５０とは、ＬＡＮ（Local Area Network）やＷＡＮ（Wide Area Network）などの通信ネットワーク６０を介して相互に接続されている。
【００３６】
また、図２に示すように、上記携帯端末２０は、通話や電子メールの送受信のための無線通信を行う無線通信部２２と、ＲＡＭ（Random Access Memory）やＲＯＭ（Read Only Memory）などで構成される記憶部２３と、静止画や動画を撮影するためのデジタルカメラ部２４と、液晶表示装置や有機ＥＬ（electroluminescence）表示装置などで構成される表示部２５と、数字キーや特殊キー、十字キーなどで構成される操作部２６と、アンテナ及びＩＣチップ（ＣＰＵやメモリ、コプロセッサ、Ｉ／Ｏポートなどを備えたチップを総称してＩＣチップと呼ぶ。）を備え、電磁誘導又は電磁結合を利用してＲＦＩＤリーダ３０とデータ交信を行い、電子決済を実行するＲＦＩＤ部２７と、これらの動作を制御する制御部２１などで構成され、制御部２１には、デジタルカメラ部２４で撮影して得た画像データに対して必要に応じて形式やサイズ、色の変換などの所定の処理を行い、処理後の画像データをＲＦＩＤ部２７のＩＣチップ又はＲＦＩＤ部２７が参照可能な記憶部２３に登録する画像データ登録手段２１ａが設けられている。
【００３７】
なお、図２は携帯端末２０の一例であり、図示しない他の手段を追加してもよいし、後述するようにデジタルカメラ部２４以外の撮影手段で取得した画像データを利用する場合は、デジタルカメラ部２４を省略することもできる。また、上記画像データ登録手段２１ａは、制御部２１にハードウェアとして構成してもよいし、コンピュータを、画像データ登録手段２１ａとして機能させる制御プログラムとして構成し、該制御プログラムを制御部２１上で動作させる構成としてもよい。
【００３８】
また、図３に示すように、本実施例のレジスタ４０は、通信ネットワーク６０を介してサーバ５０と通信するための通信部４２と、ＲＯＭやＲＡＭなどで構成される記憶部４３と、液晶表示装置や有機ＥＬ表示装置などで構成され、少なくとも画像データに基づく顔画像を識別可能に表示できる表示部４４と、電子決済操作や認証操作などを行う操作部４５と、ＲＦＩＤリーダ３０と通信するためのＲＦＩＤリーダ通信部４６と、これらを制御する制御部４１などで構成される。
【００３９】
なお、図３はレジスタ４０の一例であり、電子決済が可能であり、かつ、顔画像を識別可能な表示部４４を備えていればよい。また、この表示部４４の解像度は特に限定されないが、例えば、縦×横が６４０画素×４８０画素程度の解像度があれば顔画像を十分に識別することができる。
【００４０】
次に、上記構成の認証システム１０を用いて、携帯端末２０に所有者の顔の画像データを登録する手順について、図４のフローチャート図を参照して説明する。
【００４１】
まず、ステップＳ１０１で、携帯端末２０の所有者はデジタルカメラ部２４を用いて自身の顔を撮影して顔の画像データを取得する。なお、取得する画像データのサイズは特に限定されないが、例えば、縦×横が１３０画素×１００画素程度で十分である。また、携帯端末２０の所有者の顔画像は携帯端末２０に設けられたデジタルカメラ部２４を用いて撮影することが好ましいが、他の携帯端末やデジタルカメラを用いて顔画像を撮影し、その画像データを携帯端末２０に転送してもよいし、フィルムカメラを用いて顔画像を撮影し、ネガフィルムや写真プリントをスキャンして画像データを取得し、その画像データを携帯端末２０に転送してもよい。
【００４２】
次に、ステップＳ１０２で、所有者が操作部２６を操作して画像データ登録手段２１ａ（又は制御プログラム）を動作させると、画像データ登録手段２１ａ（又は制御プログラム）は、上記画像データのファイル名から形式を取得すると共に、ヘッダ情報などからサイズや色などの情報を取得し、その画像データが本発明の認証方法に適した画像データであるかを判断する。具体的には、画像データが予め定められた形式（例えば、ＪＩＦ、ＪＰＥＧ等）であるか、画像データがＲＦＩＤ部２７のＩＣチップに記憶可能なサイズ（例えば、５ｋＢｙｔｅ程度）以下であるか、画像データが予め定められた色（例えば、白黒等）であるかを判定する。
【００４３】
そして、本発明の認証方法に適した画像データでない場合は、ステップＳ１０３で、画像データ登録手段２１ａは、本発明の認証方法に適した画像データとなるように所定の処理を行う。具体的には、画像データが予め定めた形式でない場合はファイル形式を変換し、サイズが大きい場合は画素を間引いて解像度を落としたり、顔の領域を識別して顔以外の部分をトリミングするなどによってサイズを変換し、予め定められた色でない場合は、カラーを白黒にしたり、減色するなどによって色を変換する。
【００４４】
なお、本発明は携帯端末２０の使用が正当であるか（すなわち、携帯端末２０の使用者と所有者とが一致するか）を判断することを目的としているため、顔画像は所有者を識別できるものであればよく、必ずしも撮影した画像そのものである必要はない。例えば、所有者を識別できるのであれば顔画像の輪郭のみを抽出した画像としてもよいし、顔の中の特徴的な部位（例えば、目、鼻、口など）のみを抽出した画像としてもよい。また、上記フローでは、画像データ登録手段２１ａで画像データに対して所定の処理を行う構成としたが、例えば、デジタルカメラ部２４に本発明の認証用の画像データを取得するモードを設けておき、そのモードで撮影すると予め定めた形式やサイズ、色の画像データが自動的に取得できるようにすることもでき、その場合は、画像データ登録手段２１ａで画像データに対して所定の処理を行う必要はない。
【００４５】
次に、ステップＳ１０４で、画像データ登録手段２１ａ（又は制御プログラム）は、取得した画像データ又は処理後の画像データをＲＦＩＤ部２７のＩＣチップ（具体的には、ＩＣチップ内のメモリの中の、電子決済の際にＲＦＩＤリーダ３０に読み出される記憶領域）に記憶する。その際、画像データがＩＣチップに不正に登録されないように、携帯端末２０に予め登録されたパスワード（携帯端末２０の購入時に登録したパスワードなど）が入力された場合に画像データを登録するようにしてもよい。また、画像データはＲＦＩＤ部２７のＩＣチップに記憶することが好ましいが、ＲＦＩＤ部２７がＲＦＩＤリーダ３０とデータ交信を行う際に、記憶部２３に記憶されたデータを参照することができる場合は、画像データを記憶部２３に記憶することもできる。その際、上記と同様に予め登録されたパスワードが入力された場合に画像データを登録するようにしてもよいし、画像データが書き換えられないようにワンタイムメモリに書き込むようにしてもよい。
【００４６】
なお、上記説明は画像データを初めて登録する場合の手順であるが、上述したように、顔画像は年齢と共に変化し、また、髪型や眼鏡によって印象が変わることから、同様の処理を行って画像データを適宜更新するようにしてもよい。その場合に、携帯端末２０の所有者以外の者が画像データを登録できないように、携帯端末２０に予め登録されたパスワードの入力を求めたり、画像データの再登録のために所有者が設定したパスワードの入力を求めたり、画像データの再登録の時期や回数を制限するなどの処理を行うことが好ましい。
【００４７】
このように、本実施例では、携帯端末２０の制御部２１にハードウェアとして構成された画像データ登録手段２１ａ又は携帯端末２０にインストールした制御プログラムにより、所有者の顔の画像データがＲＦＩＤ部２７のＩＣチップや記憶部２３に登録されるため、簡単に顔画像を登録する処理を実行することができる。また、ＲＦＩＤ機能（又はデジタルカメラ機能及びＲＦＩＤ機能）を備えた携帯端末であれば、ハードウェアの追加又はソフトウェアのインストールにより、本実施例の認証システムに利用可能にすることができるため、汎用性の高い認証システム１０を実現することができる。
【００４８】
次に、所有者の顔の画像データが登録された携帯端末２０を用いて電子決済を行う手順について、図５のフローチャート図を参照して説明する。
【００４９】
まず、ステップＳ２０１で、携帯端末２０の利用者は、携帯端末２０を用いて電子決済が可能な店舗で商品やサービスを購入する。
【００５０】
次に、ステップＳ２０２で、店舗の店員は、操作部４５を用いて、レジスタ４０に利用者が購入した商品又はサービスの金額を入力し、利用者に電子決済処理を指示する。
【００５１】
次に、ステップＳ２０３で、利用者は、携帯端末２０のＲＦＩＤ部２７のアンテナをレジスタ４０に接続されたＲＦＩＤリーダ３０にかざす。
【００５２】
次に、ステップＳ２０４で、ＲＦＩＤリーダ３０は、携帯端末２０のＲＦＩＤ部２７とデータ交信を行い、ＲＦＩＤ部２７のＩＣチップに予め記憶された識別情報などのＲＦＩＤ部２７固有の情報と、ＲＦＩＤ部２７のＩＣチップ又は記憶部２３に記憶した画像データとを読み取り、読み取った識別情報及び画像データをレジスタ４０に送信する。
【００５３】
次に、ステップＳ２０５で、レジスタ４０の制御部４１は、通信部４２を用いて、ＲＦＩＦリーダ通信部４６で受信した識別情報をサーバ５０に送信し、サーバ５０は、受信した識別情報が予め登録されているか否かに基づいて携帯端末２０の認証を行い、認証結果をレジスタ４０に返信する。なお、上記識別情報を用いた認証は公知の手法を用いて実現することができ、その具体的な手法は特に限定されない。
【００５４】
次に、ステップＳ２０６で、レジスタ４０の制御部４１は認証結果（すなわち、正当な携帯端末２０であるか）を判定し、認証結果がＮＧの場合は処理を終了し、認証結果がＯＫの場合は、ステップＳ２０７で、レジスタ４０の制御部４１は、図６（ａ）に示すように、ＲＦＩＤリーダ３０から受信した画像データに基づく顔画像を表示部４４に表示させる。そして、店舗の店員は、レジスタ４０の表示部４４に表示された所有者の顔画像と、携帯端末２０を用いて電子決済処理を行っている利用者の顔とを比較して利用者の認証を行う。
【００５５】
なお、ＪＰＥＧ等の圧縮されている画像データを利用する場合は、レジスタ４０に解凍手段を設け、画像データを解凍してから表示部４４に顔画像を表示すればよい。また、携帯端末２０の画像データ登録手段２１ａで、所有者の顔画像の輪郭を登録した場合は、表示部４４には図６（ｂ）に示すような輪郭画像が表示され、所有者の顔の一部を登録した場合は、表示部４４には図６（ｃ）に示すように顔の特定の部位（ここでは目）の画像が表示される。
【００５６】
そして、ステップＳ２０８で正当な利用者と判断できない場合（すなわち、登録されている所有者の顔と携帯端末２０の利用者の顔とが一致しない場合）は、処理を終了し、正当な利用者と判断した場合（すなわち、登録されている所有者の顔と携帯端末２０の利用者の顔とが一致した場合）は、ステップＳ２０９で、店員はレジスタ４０の操作部４５に予め設けられている認証ボタンを押し、ステップＳ２１０で、レジスタ４０の制御部４１は電子決済を実行する。
【００５７】
この電子決済も公知の手法を用いて実現することができ、例えば、レジスタ４０の制御部４１は、通信部４２を用いて購入金額をサーバ５０に通知し、サーバ５０は予め登録された銀行の口座から購入金額を引き落とす。また、レジスタ４０の制御部４１は、ＲＦＩＤリーダ通信部４６を用いて購入金額をＲＦＩＤリーダ３０に通知し、ＲＦＩＤリーダ３０はその購入金額を携帯端末２０のＲＦＩＤ部２７に通知し、ＲＦＩＤ部２７は購入履歴をＩＣチップに記憶する。
【００５８】
なお、上記説明では、識別情報で携帯端末２０を認証した後、顔画像で利用者を認証する構成としたが、顔画像を用いた認証を先に行ってもよいし、識別情報をサーバ５０に送信すると同時に顔画像を表示部４４に表示してもよい。また、上記説明では、ＲＦＩＤリーダ３０が携帯端末２０から識別情報と画像データとを同時に読み取る構成としたが、始めに識別情報を読み取り、サーバ５０が識別情報を認証した後、画像データを読み取る構成としてもよい。
【００５９】
このように、携帯端末２０を用いた電子決済の際に、携帯端末２０から所有者の顔の画像データが送信されてレジスタ４０の表示部４４に表示されるため、店員が表示された顔画像と携帯端末２０の利用者の顔とを比較することによって携帯端末２０の不正使用を確実に防止することができる。
【実施例２】
【００６０】
次に、本発明の第２の実施例に係る認証システム及び認証方法並びに制御プログラムについて、図７乃至図１０を参照して説明する。図７は、本実施例の認証システムの構成を模式的に示す図であり、図８は、本実施例の携帯端末の構成を示すブロック図である。また、図９は、本実施例の携帯端末を用いて電子決済を行う手順を示すフローチャート図であり、図１０は、本実施例の携帯端末の表示部に表示される画面構成例を示す図である。
【００６１】
前記した第１の実施例では、レジスタ４０の表示部４４に顔画像を表示して認証を行ったが、この方法の場合、レジスタ４０に顔画像が表示可能な表示部４４が必要であり、金額等を表示するための小さい表示部４４しか設けられていないレジスタ４０を本発明の認証システム１０に利用することができない。そこで、本実施例では、小さい表示部４４しか設けられていない従来のレジスタ４０であっても本発明の認証システム１０に利用できるようにするために、顔画像を携帯端末２０の表示部２５に表示させるようにする。
【００６２】
その場合、本実施例の認証システム１０は、図７に示すようになり、顔画像を表示部に表示して電子決済を行う携帯電話機などの携帯端末２０と、店舗に設置され、電子決済を実行する一般的な構成のレジスタ４０と、レジスタ４０に接続され、携帯端末２０と交信するＲＦＩＤリーダ３０と、電子決済の際に携帯端末２０を認証するサーバ５０とを主な構成要素とし、レジスタ４０とサーバ５０とは通信ネットワーク６０を介して相互に接続される。
【００６３】
また、図８に示すように、上記携帯端末２０は、第１の実施例と同様に、無線通信部２２と、記憶部２３と、デジタルカメラ部２４と、表示部２５と、操作部２６と、アンテナ及びＩＣチップを備えるＲＦＩＤ部２７と、これらの動作を制御する制御部２１などで構成されるが、制御部２１には、デジタルカメラ部２４で撮影して得た画像データに対して形式やサイズ、色の変換などの処理を行い、処理後の画像データをＲＦＩＤ部２７のＩＣチップ又は記憶部２３に書き込む画像データ登録手段２１ａに加えて、電子決済の際に、その画像データに基づく顔画像を表示部２５に表示させる顔画像表示制御手段２１ｂが設けられている。
【００６４】
なお、上記画像データ登録手段２１ａや顔画像表示制御手段２１ｂは、制御部２１にハードウェアとして構成してもよいし、コンピュータを画像データ登録手段２１ａや顔画像表示制御手段２１ｂとして機能させる制御プログラムとして構成し、該制御プログラムを制御部２１上で動作させる構成としてもよい。
【００６５】
次に、上記構成の認証システム１０を用いて電子決済を行う手順について、図９のフローチャート図を参照して説明する。
【００６６】
まず、前記した第１の実施例と同様の手順で、携帯端末２０のＲＦＩＤ部２７のＩＣチップ又は記憶部２３に所有者の顔の画像データを登録した後、ステップＳ３０１で、携帯端末２０の利用者は、携帯端末２０を用いて電子決済が可能な店舗で商品やサービスを購入する。
【００６７】
次に、ステップＳ３０２で、店舗の店員は、操作部４５を用いて、レジスタ４０に利用者が購入した商品又はサービスの金額を入力し、利用者に電子決済処理を指示する。
【００６８】
次に、ステップＳ３０３で、利用者は、携帯端末２０のＲＦＩＤ部２７のアンテナをレジスタ４０に接続されたＲＦＩＤリーダ３０にかざす。
【００６９】
次に、ステップＳ３０４で、ＲＦＩＤリーダ３０は、携帯端末２０のＲＦＩＤ部２７とデータ交信を行い、ＲＦＩＤ部２７のＩＣチップに記憶された識別情報などのＲＦＩＤ部２７固有の情報を読み取り、読み取った識別情報をレジスタ４０に送信する。一方、顔画像表示制御手段２１ｂはＲＦＩＤ部２７の動作に応じて起動し、ＲＦＩＤ部２７のＩＣチップ又は記憶部２３に記憶された画像データを読み取り、図１０（ａ）に示すように、その画像データに基づく顔画像を表示部２５に表示させる。
【００７０】
なお、携帯端末２０に複数の表示部２５を備える場合は、顔画像はどの表示部２５に表示してもよく、図１０（ａ）に示すように折り畳み型携帯端末２０の内側の主表示部に表示してもよいし、図１０（ｂ）に示すように背面側の副表示部に表示してもよいし、その双方に表示してもよい。また、表示部２５には顔画像そのものを表示してもよいし、利用者の認証が可能であれば、顔画像から抽出した輪郭画像を表示してもよいし、顔の一部のみを表示してもよい。
【００７１】
次に、ステップＳ３０５で、レジスタ４０の制御部４１は、通信部４２を用いて、ＲＦＩＦリーダ通信部４６で受信した識別情報をサーバ５０に送信し、サーバ５０は、受信した識別情報が予め登録されているか否かに基づいて認証を行い、認証結果をレジスタ４０に返信する。
【００７２】
次に、ステップＳ３０６で、レジスタ４０の制御部４１は認証結果（すなわち、正当な携帯端末２０であるか）を判定し、認証結果がＮＧの場合は処理を終了し、認証結果がＯＫの場合は、ステップＳ３０７で、店員は携帯端末２０の表示部２５に表示された所有者の顔画像と、携帯端末２０を用いて電子決済処理を行っている利用者の顔とを比較して利用者の認証を行う。
【００７３】
そして、ステップＳ３０８で正当な利用者と判断できない場合（すなわち、登録されている所有者の顔と携帯端末２０の利用者の顔とが一致しない場合）は、処理を終了し、正当な利用者と判断した場合（すなわち、登録されている所有者の顔と携帯端末２０の利用者の顔とが一致した場合）は、ステップＳ３０９で、店員はレジスタ４０の操作部４５に予め設けられている認証ボタンを押し、ステップＳ３１０で、レジスタ４０の制御部４１は電子決済を実行する。
【００７４】
なお、本実施例でも、識別情報で携帯端末２０を認証した後、顔画像で利用者を認証する構成としたが、顔画像を用いた認証を先に行ってもよい。
【００７５】
このように、携帯端末２０を用いた電子決済の際に、携帯端末２０の表示部２５に所有者の顔画像が表示されるため、店員が表示された顔画像と携帯端末２０の利用者の顔とを比較することによって携帯端末２０の不正使用を確実に防止することができる。また、顔画像を表示可能な表示部４４が設けられていないレジスタ４０を利用することができるため、汎用性の高い認証システムを実現することができる。
【００７６】
なお、上記実施例では、携帯端末２０として携帯電話機を用いる場合を例にして説明したが、本発明は上記実施例に限定されるものではなく、ＲＦＩＤ機能（又はデジタルカメラ機能及びＲＦＩＤ機能）を備える任意の携帯機器に対して同様に適用することができる。
【産業上の利用可能性】
【００７７】
本発明は、携帯端末を用いた認証システム及び認証方法に利用可能である。
【図面の簡単な説明】
【００７８】
【図１】本発明の第１の実施例に係る認証システムの構成を模式的に示す図である。
【図２】本発明の第１の実施例に係る携帯端末の構成を示すブロック図である。
【図３】本発明の第１の実施例に係るレジスタの構成を示すブロック図である。
【図４】本発明の第１の実施例に係る認証システムを用いた画像データの登録手順を示すフローチャート図である。
【図５】本発明の第１の実施例に係る認証システムを用いた電子決済の手順を示すフローチャート図である。
【図６】本発明の第１の実施例に係るレジスタの表示部の画面構成例を示す図である。
【図７】本発明の第２の実施例に係る認証システムの構成を模式的に示す図である。
【図８】本発明の第２の実施例に係る携帯端末の構成を示すブロック図である。
【図９】本発明の第２の実施例に係る認証システムを用いた電子決済の手順を示すフローチャート図である。
【図１０】本発明の第２の実施例に係る携帯端末の表示部の画面構成例を示す図である。
【符号の説明】
【００７９】
１０  認証システム
２０  携帯端末
２１  制御部
２１ａ  画像データ登録手段
２１ｂ  顔画像表示制御手段
２２  無線通信部
２３  記憶部
２４  デジタルカメラ部
２５  表示部
２６  操作部
２７  ＲＦＩＤ部
３０  ＲＦＩＤリーダ
４０  レジスタ
４１  通信部
４２  記憶部
４３  表示部
４４  操作部
４５  ＲＦＩＤリーダ通信部
５０  サーバ
６０  通信ネットワーク
【図１】
2008108090.tif 000003
【図２】
2008108090.tif 000004
【図３】
2008108090.tif 000005
【図４】
2008108090.tif 000006
【図５】
2008108090.tif 000007
【図６】
2008108090.tif 000008
【図７】
2008108090.tif 000009
【図８】
2008108090.tif 000010
【図９】
2008108090.tif 000011
【図１０】
2008108090.tif 000012